(57)【要約】  【課題】  簡単な構造で、ボタンの操作性を悪化させることなく、カバー部材の誤開放を防ぐことができるカバー開閉機構及びカバー開閉機構を利用した光ディスク装置を提供する。  【解決手段】  カバー開閉機構２はボタン３と、スライド部材４と、ボタン３を弾性支持する第１弾性部材５と、スライド部材４を弾性支持する第２弾性部材６とを備えている。ボタン３は本体部３１と、本体部３１より垂直に突出する脚部３２とを備えている。脚部３２は２個形成されており脚部３２には本体部３１と反対側の端部が屈曲した屈曲部３４が形成されている。ボタン３の脚部３２の屈曲部３４とスライド部材４の側面との間隙が狭くなる（部分的に接触する）ように配置される。【選択図】      図４
2006114133.tif 000002
【特許請求の範囲】
【請求項１】
記録媒体である光ディスクにレーザ光を照射して情報を記録又は読出しする光ディスク
装置であって、前記光ディスクを滑らないように保持しつつ回転するディスク保持部材と
、前記光ディスクを挿入又は取出しするときに開閉されるカバー部材と、前記カバー部材
を開閉するためのカバー開閉機構とを有しており、
前記カバー部材は端部が筐体本体に対して回動可能に支持されているとともに開く方向
に常時付勢されており、
前記カバー開閉機構は前記カバー部材の回動支持されている端部と反対側の端部に近接
して配置され、前記カバー部材の開閉方向と同じ方向に摺動するボタンと、前記ボタンの
摺動方向と直交する方向に摺動するスライド部材と、前記ボタンを弾性支持する第１弾性
部材と、前記スライド部材を弾性支持する第２弾性部材とを備えており、前記ボタンは本
体部と、前記本体部の底面より突出する２本の脚部と、前記脚部の間に配置される突出部
とを有しており、前記スライド部材は前記ボタンの脚部の間に配置され、前記突出部と接
触し斜めに傾斜した傾斜部を有しており、
前記スライド部材は前記弾性部材の前記スライド支持部にて弾性支持されることで、前
記先端部を前記カバー部材に形成されている係合凹部と係合しており、
前記脚部の下端部は互いに向き合う方向に屈曲する屈曲部を備えており、前記ボタンが
押されていない状態では前記屈曲部と前記スライド部材の側面とは接触又は非常に接近し
た状態になり、前記ボタンが押されると前記スライド部材の側面と前記脚部との間隙が大
きくなることを特徴とする光ディスク装置。
【請求項２】
記録媒体である光ディスクにレーザ光を照射して情報を記録又は読出しする光ディスク
装置であって、前記光ディスクを滑らないように保持しつつ回転するディスク保持部材と
、前記光ディスクを挿入又は取出しするときに開閉されるカバー部材と、前記カバー部材
を開閉するためのカバー開閉機構とを有しており、
前記カバー部材は端部が筐体本体に対して回動可能に支持されているとともに開く方向
に常時付勢されており、
前記カバー開閉機構は前記カバー部材の回動支持されている端部と反対側の端部に近接
して配置され、前記カバー部材の開閉方向と同じ方向に摺動するボタンと、前記ボタンの
摺動方向と直交する方向に摺動するスライド部材と、前記ボタンを弾性支持する第１弾性
部材と、前記スライド部材を弾性支持する第２弾性部材とを備えており、前記ボタンは本
体部と、前記本体部の底面より突出する２本の脚部と、前記脚部の間に配置される突出部
とを有しており、前記スライド部材は前記ボタンの脚部の間に配置され、前記突出部と接
触し斜めに傾斜した傾斜部を有しており、
前記スライド部材は前記弾性部材の前記スライド支持部にて弾性支持されることで、前
記先端部を前記カバー部材に形成されている係合凹部と係合しており、
前記脚部の下端部の側面及び前記スライド部材の側面には互いに係止することで該スラ
イド部材の摺動を防止するための係止部材が備えられており、
前記ボタンが押されていない状態では前記係止部材が係止状態になり、前記ボタンが押
されると前記係止部材の係止が解けることを特徴とする光ディスク装置。
【請求項３】
光ディスクを挿入する又は取出すときに開閉されるカバー部材を開閉するための開閉機
構であって、
前記カバー部材は端部が筐体本体に対して回動可能に支持されているとともに開く方向
に常時付勢されており、
前記カバー部材の回動支持されている端部と反対側の端部に近接して配置され、前記カ
バー部材の開閉方向と同じ方向に摺動するボタンと、前記ボタンの摺動方向と直交する方
向に摺動するスライド部材と、前記ボタンを弾性支持する第１弾性部材と、前記スライド
部材を弾性支持する第２弾性部材とを備えており、前記ボタンは本体部と、前記本体部の
底面より突出する２本の脚部と、前記脚部の間に配置される突出部とを有しており、前記
スライド部材は前記ボタンの脚部の間に配置され、前記突出部と接触し斜めに傾斜した傾
斜部を有しており、
前記スライド部材は前記弾性部材の前記スライド支持部にて弾性支持されることで、前
記先端部を前記カバー部材に形成されている係合凹部と係合しており、
前記脚部の下端部は互いに向き合う方向に屈曲する屈曲部を備えており、前記ボタンが
押されていない状態では前記屈曲部と前記スライド部材の側面とは接触又は非常に接近し
た状態になり、前記ボタンが押されると前記スライド部材の側面と前記脚部との間隙が大
きくなることを特徴とするカバー開閉機構。
【請求項４】
光ディスクを挿入する又は取出すときに開閉されるカバー部材を開閉するための開閉機
構であって、
前記カバー部材は端部が筐体本体に対して回動可能に支持されているとともに開く方向
に常時付勢されており、
前記カバー部材の回動支持されている端部と反対側の端部に近接して配置され、前記カ
バー部材の開閉方向と同じ方向に摺動するボタンと、前記ボタンの摺動方向と直交する方
向に摺動するスライド部材と、前記ボタンを弾性支持する第１弾性部材と、前記スライド
部材を弾性支持する第２弾性部材とを備えており、前記ボタンは本体部と、前記本体部の
底面より突出する２本の脚部と、前記脚部の間に配置される突出部とを有しており、前記
スライド部材は前記ボタンの脚部の間に配置され、前記突出部と接触し斜めに傾斜した傾
斜部を有しており、
前記スライド部材は前記弾性部材の前記スライド支持部にて弾性支持されることで、前
記先端部を前記カバー部材に形成されている係合凹部と係合しており、
前記脚部の下端部の側面及び前記スライド部材の側面には互いに係止することで該スラ
イド部材の摺動を防止するための係止部材が備えられており、
前記ボタンが押されていない状態では前記係止部材が係止した状態になり、前記ボタン
が押されると前記係止部材の係止が解けることを特徴とするカバー開閉機構。
【発明の詳細な説明】
【技術分野】
【０００１】
本発明は、光ディスクに光を照射することでデータの記録及び（又は）読出しを行うこ
とができる光ディスク装置に関するものであり、特に前記光ディスクを光ディスク装置に
挿入するときに開閉するカバー開閉機構に関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置への前記光ディスクの挿入方法は、光ディスクをそのまま機器に挿入
するもの、自動又は手動で摺動する摺動部材に前記光ディスクを載せて挿入するもの、一
部を回動可能に支持された開閉可能なカバーを開けて挿入するもの等が採用される場合が
多い。
【０００３】
その中でも、開閉可能なカバーを備えた光ディスク装置は、前記光ディスクをそのまま
挿入する方法に比べて埃、塵等の微粒子が本体内部に混入しにくい。また、前記光ディス
クを摺動部材に載せて挿入するものに比べて構造が簡単である等の利点を有しているため
携帯用の光ディス装置等に広く採用されている。カバーを開いて光ディスクを挿入する光
ディスク装置には、カバー又はカバーの近くにボタンが配置されており、該ボタンを押す
ことでカバーを開くことができる。また、前記カバーを閉じるときはカバーを閉じ、押す
ことで閉じた状態で固定することができる。
【０００４】
図７に従来の光ディスク装置のディスクカバー開閉機構の水平断面図を、図８に図７に
示すディスクカバー開閉機構の垂直断面図を、図９に図７に示すディスクカバー開閉機構
の側断面図を示す。図７に示すように光ディスク装置のカバー部材９１を開閉するディス
クカバー開閉機構９２は、ボタン９３と、スライド部材９４と、ボタン９３を弾性支持す
る第１弾性部材９５と、スライド部材９４を弾性支持する第２弾性部材９６とを有してい
る。第１弾性部材９５及び第２弾性部材９６はコイルばねである。ボタン９３は本体部９
３１と、本体部９３１より垂直に突出する脚部９３２と、脚部９３２とは異なった部分か
ら突出する突出部９３３とを備えている。脚部９３２はそれには限定されないがここでは
２個形成されており、両方の脚部３２は筐体Ｂｄに形成されている摺動ガイド部Ｇｕと摺
動可能に係合している。ボタン９３は第１弾性部材９５によって付勢されている。
【０００５】
スライド部材９４は第２弾性部材９６にてカバー部材９１に向けて付勢されている。ス
ライド部材９１の先端は屈曲しており係合部９４２が形成されている。カバー部材９１は
ディスクカバー開閉機構９２が接している部分と反対側を回動可能に支持されており、図
示を省略した部材にて開く方向に付勢されている。さらに、カバー部材９１はスライド部
材９４の係合部９２が係合するための係合凹部９１１が形成されている。スライド部材９
４の係合部９４２が係合凹部９１１に係合することで、カバー部材９１が開くのを防いで
いる。
【０００６】
スライド部材９４は図９に示すようにボタン９３の突出部９３３の先端と常時接触し、
スライド部材９４が摺動する方向に傾斜している傾斜部９４１を備えている。ボタン９３
が押されて摺動すると、突出部９３３の先端がスライド部材９４の傾斜部９４１を押す。
傾斜部９４１が突出部９３３に押されることで、スライド部材９４はカバー部材９１から
遠ざかる方向に摺動する。スライド部材９４が摺動すると、スライド部材９４の係合部９
４２がカバー部材９１の係合凹部９１１から外れ、カバー部材９１が開く。
【０００７】
カバー部材９１の係合凹部９１１の下部は斜めに形成されたテーパー部９１２が形成さ
れており、カバー部材９１２を閉めるときにテーパー部９１２がスライド部材９４の係合
部９４２を押してスライド部材９４をカバー部材９１と反対側に摺動させる。カバー部材
９１が閉じ位置になったときに、スライド部材９４は第２弾性部材９６にて付勢されて係
合部９４２とカバー部材９１の係合凹部９１１とが係合し、カバー部材９１が開かないよ
うにする。
【特許文献１】特開２００２−１１１２４３号公報
【特許文献２】特開平１０−２２８８３５号公報
【特許文献３】特開平１０−１９８４５０号公報
【特許文献４】特開平１０−５１１５４号公報
【特許文献５】特開平６−８４４２６号公報
【発明の開示】
【発明が解決しようとする課題】
【０００８】
しかしながら、ボタン９３を押していないとき、スライド部材９４は第２弾性部材９６
にて摺動方向のカバー部材９１側に付勢されているだけであり、光ディスク装置に振動や
衝撃が加わり、第２弾性部材９６の付勢力よりも大きな力がスライド部材９４に付与され
た場合、スライド部材９４はカバー部材９１と反対側に摺動し、スライド部材９４の係合
部９４２とカバー部材９１の係合凹部９１１との係合が外れて、カバー部材９１が開く場
合がある。
【０００９】
上記のような、振動や衝撃によるスライド部材９４の誤作動によるカバー部材９１の誤
開放を防止するために、第２弾性部材９６の付勢力を強くするものが考えられる。しかし
ながら、第２弾性部材９６の付勢力を強くした場合、ボタン９３の突出部９３３がスライ
ド部材９４の傾斜部９４１を押すのに大きな力が必要になる。すなわち、カバー部材９１
を開くのに大きな力でボタン９３を押さなくてはならず、それだけ、ボタンの操作性が悪
くなる。
【００１０】
そこで本発明は、簡単な構造で、ボタンの操作性を悪化させることなく、カバー部材の
誤開放を防ぐことができるカバー開閉機構及びカバー開閉機構を利用した光ディスク装置
を提供することを目的とする。
【課題を解決するための手段】
【００１１】
上記目的を達成するために本発明は、記録媒体である光ディスクにレーザ光を照射して
情報を記録又は読出しする光ディスク装置であって、前記光ディスクを滑らないように保
持しつつ回転するディスク保持部材と、前記光ディスクを挿入又は取出しするときに開閉
されるカバー部材と、前記カバー部材を開閉するためのカバー開閉機構とを有しており、
前記カバー部材は端部が筐体本体に対して回動可能に支持されているとともに開く方向に
常時付勢されており、前記カバー開閉機構は前記カバー部材の回動支持されている端部と
反対側の端部に近接して配置され、前記カバー部材の開閉方向と同じ方向に摺動するボタ
ンと、前記ボタンの摺動方向と直交する方向に摺動するスライド部材と、前記ボタンを弾
性支持する第１弾性部材と、前記スライド部材を弾性支持する第２弾性部材とを備えてお
り、前記ボタンは本体部と、前記本体部の底面より突出する２本の脚部と、前記脚部の間
に配置される突出部とを有しており、前記スライド部材は前記ボタンの脚部の間に配置さ
れ、前記突出部と接触し斜めに傾斜した傾斜部を有しており、前記スライド部材は前記弾
性部材の前記スライド支持部にて弾性支持されることで、前記先端部を前記カバー部材に
形成されている係合凹部と係合しており、前記脚部の下端部は互いに向き合う方向に屈曲
する屈曲部を備えており、前記ボタンが押されていない状態では前記屈曲部と前記スライ
ド部材の側面とは接触又は非常に接近した状態になり、前記ボタンが押されると前記スラ
イド部材の側面と前記脚部との間隙が大きくなることを特徴とする。
【００１２】
この構成によると、前記ボタンが押されていないときは、前記ボタンの脚部に形成され
た屈曲部と、前記スライド部材の側面とが接触又は非常に接近した状態になるので、前記
屈曲部がスライド部材の動きを制限するので、摺動しにくい。また、前記ボタンが押され
ると、前記屈曲部が前記スライド部材によって動きを制限されないので、容易に摺動する
。
【００１３】
このことによって、前記ボタンが押されていないときは、前記スライド部材の動作が制
限されているので、振動や衝撃によって前記カバー部材が意に反して開放されるのを防ぐ
ことができる。また、前記ボタンを押したときには前記スライド部材の動作が制限されな
いので、ボタンを押す力が小さくてもスライド部材を摺動させることができ、前記カバー
部材を開放することができる。
【００１４】
上記目的を達成するために本発明は、記録媒体である光ディスクにレーザ光を照射して
情報を記録又は読出しする光ディスク装置であって、前記光ディスクを滑らないように保
持しつつ回転するディスク保持部材と、前記光ディスクを挿入又は取出しするときに開閉
されるカバー部材と、前記カバー部材を開閉するためのカバー開閉機構とを有しており、
前記カバー部材は端部が筐体本体に対して回動可能に支持されているとともに開く方向に
常時付勢されており、前記カバー開閉機構は前記カバー部材の回動支持されている端部と
反対側の端部に近接して配置され、前記カバー部材の開閉方向と同じ方向に摺動するボタ
ンと、前記ボタンの摺動方向と直交する方向に摺動するスライド部材と、前記ボタンを弾
性支持する第１弾性部材と、前記スライド部材を弾性支持する第２弾性部材とを備えてお
り、前記ボタンは本体部と、前記本体部の底面より突出する２本の脚部と、前記脚部の間
に配置される突出部とを有しており、前記スライド部材は前記ボタンの脚部の間に配置さ
れ、前記突出部と接触し斜めに傾斜した傾斜部を有しており、前記スライド部材は前記弾
性部材の前記スライド支持部にて弾性支持されることで、前記先端部を前記カバー部材に
形成されている係合凹部と係合しており、前記脚部の下端部の側面及び前記スライド部材
の側面には互いに係止することで該スライド部材の摺動を防止するための係止部材が備え
られており、前記ボタンが押されていない状態では前記係止部材が係止状態になり、前記
ボタンが押されると前記係止部材の係止が解けることを特徴とする。
【００１５】
この構成によると、前記ボタンが押されていないときは、前記ボタンの脚部に形成され
た屈曲部と、前記スライド部材の側面とが接触又は非常に接近した状態になるので、前記
屈曲部がスライド部材の動きを制限するので、摺動しにくい。また、前記ボタンが押され
ると、前記屈曲部が前記スライド部材によって動きを制限されないので、容易に摺動する
。
【００１６】
このことによって、前記ボタンが押されていないときは、前記スライド部材の動作が制
限されているので、振動や衝撃によって前記カバー部材が意に反して開放されるのを防ぐ
ことができる。また、前記ボタンを押したときには前記スライド部材の動作が制限されな
いので、ボタンを押す力が小さくてもスライド部材を摺動させることができ、前記カバー
部材を開放することができる。
【００１７】
前記係止部材としてゴム等の摩擦係数の高い物質を屈曲部又はスライド部材の側面のい
ずれか又は両方貼り付けるものを例示することができる。また、形状としてスライド部材
の動作を制限するものであっても良い。この場合、前記カバー部材を閉じるとき、前記ボ
タンは元の位置に戻っており、この状態で前記スライド部材の動作を制限しない形状を広
く採用することができる。
【００１８】
上記目的を達成するために本発明は、光ディスクを挿入又は取出しするときに開閉され
るカバー部材を開閉するための開閉機構であって、前記カバー部材は端部が筐体本体に対
して回動可能に支持されているとともに開く方向に常時付勢されており、前記カバー部材
の回動支持されている端部と反対側の端部に近接して配置され、前記カバー部材の開閉方
向と同じ方向に摺動するボタンと、前記ボタンの摺動方向と直交する方向に摺動するスラ
イド部材と、前記ボタンを弾性支持する第１弾性部材と、前記スライド部材を弾性支持す
る第２弾性部材とを備えており、前記ボタンは本体部と、前記本体部の底面より突出する
２本の脚部と、前記脚部の間に配置される突出部とを有しており、前記スライド部材は前
記ボタンの脚部の間に配置され、前記突出部と接触し斜めに傾斜した傾斜部を有しており
、前記スライド部材は前記弾性部材の前記スライド支持部にて弾性支持されることで、前
記先端部を前記カバー部材に形成されている係合凹部と係合しており、前記脚部の下端部
は互いに向き合う方向に屈曲する屈曲部を備えており、前記ボタンが押されていない状態
では前記屈曲部と前記スライド部材の側面とは接触又は非常に接近した状態になり、前記
ボタンが押されると前記スライド部材の側面と前記脚部との間隙が大きくなることを特徴
とするカバー開閉機構を提供する。
【００１９】
この構成によると、前記ボタンが押されていないときは、前記ボタンの脚部に形成され
た屈曲部と、前記スライド部材の側面とが接触又は非常に接近した状態になるので、前記
屈曲部がスライド部材の動きを制限するので、摺動しにくい。また、前記ボタンが押され
ると、前記屈曲部が前記スライド部材によって動きを制限されないので、容易に摺動する
。
【００２０】
このことによって、前記ボタンが押されていないときは、前記スライド部材の動作が制
限されているので、振動や衝撃によって前記カバー部材が意に反して開放されるのを防ぐ
ことができる。また、前記ボタンを押したときには前記スライド部材の動作が制限されな
いので、ボタンを押す力が小さくてもスライド部材を摺動させることができ、前記カバー
部材を開放することができる。
【００２１】
上記目的を達成するために本発明は、光ディスクを挿入又は取出しするときに開閉され
るカバー部材を開閉するための開閉機構であって、前記カバー部材は端部が筐体本体に対
して回動可能に支持されているとともに開く方向に常時付勢されており、前記カバー部材
の回動支持されている端部と反対側の端部に近接して配置され、前記カバー部材の開閉方
向と同じ方向に摺動するボタンと、前記ボタンの摺動方向と直交する方向に摺動するスラ
イド部材と、前記ボタンを弾性支持する第１弾性部材と、前記スライド部材を弾性支持す
る第２弾性部材とを備えており、前記ボタンは本体部と、前記本体部の底面より突出する
２本の脚部と、前記脚部の間に配置される突出部とを有しており、前記スライド部材は前
記ボタンの脚部の間に配置され、前記突出部と接触し斜めに傾斜した傾斜部を有しており
、前記スライド部材は前記弾性部材の前記スライド支持部にて弾性支持されることで、前
記先端部を前記カバー部材に形成されている係合凹部と係合しており、
前記脚部の下端部の側面及び前記スライド部材の側面には互いに係止することで該スラ
イド部材の摺動を防止するための係止部材が備えられており、前記ボタンが押されていな
い状態では前記係止部材が係止した状態になり、前記ボタンが押されると前記係止部材の
係止が解けることを特徴とするカバー開閉機構を提供する。
【発明の効果】
【００２２】
本発明によると、簡単な構造で、ボタンの操作性を悪化させることなく、カバー部材の
誤開放を防ぐことができるカバー開閉機構及びカバー開閉機構を利用した光ディスク装置
を提供することができる。
【発明を実施するための最良の形態】
【００２３】
以下に本発明の実施形態を図面を参照して説明する。図１に本発明にかかる光ディスク
装置である携帯型ＣＤプレーヤの平面図を示す。図１に示すＣＤプレーヤＡは、筐体Ｂｄ
と、記録媒体であるＣＤメディアＭｄを挿入又は取出しするときに開閉するカバー部材１
と、カバー部材１を開閉するためのカバー開閉機構２とを有している。カバー部材１は端
部１０で筐体Ｂｄに回動可能に支持されている。また、カバー部材１を開いた内部の中心
部には、ＣＤメディアＭｄに設けられた、中心部の孔に貫通させ、ＣＤメディアＭｄを保
持し、回転させるためのディスク保持部材Ｄｈが配置されている。カバー部材１は後述の
スライド部材４の係合部４２が係合する係合凹部１１が形成されている。
【００２４】
ディスク保持部材ＤｈはＣＤメディアＭｄの中央に形成されている貫通孔の内径と略同
じ大きさの回転軸Ｄｈ１と、回転軸Ｄｈ１の外側に付勢されるボール状の固定部Ｄｈ２が
備えられている。ＣＤメディアＭｄをディスク保持部材Ｄｈに取り付けるときは、回転軸
Ｄｈ１をＣＤメディアＭｄの貫通孔を貫通するようにＣＤメディアＭｄを配置する。ＣＤ
メディアＭｄを押し付けることで、ボール状の固定部Ｄｈ２が回転軸Ｄｈ１の内部に押さ
れる。固定部Ｄｈ２がＣＤメディアＭｄの貫通孔の内側を押すことで回転軸Ｄｈ１にＣＤ
メディアＭｄを滑らないように固定することができる。この状態で回転軸Ｄｈ１を回動す
ることで、ＣＤメディアＭｄを回動させることができる。
【００２５】
図２に本発明にかかるカバー開閉機構の一例の水平断面図を、図３に図２に示すカバー
開閉機構の垂直断面図を、図４に図２に示すカバー開閉機構の側断面図を示す。図２に示
すカバー開閉機構２はボタン３と、スライド部材４と、ボタン３を弾性支持する第１弾性
部材５と、スライド部材４を弾性支持する第２弾性部材６とを備えている。図２、３、４
に示すようにボタン３は本体部３１と、本体部３１より垂直に突出する脚部３２と、脚部
３２とは異なった部分から突出する突出部３３とを備えている。脚部３２は２個形成され
ており、両方の脚部３２は筐体Ｂｄに形成されている摺動ガイド部Ｇｕと摺動可能に係合
している。第１弾性部材５によって脚部３２は上方に向けて付勢されている、すなわち、
ボタン３は第１弾性部材５によって上方に持上げられた状態で静止している。
【００２６】
脚部３２には本体部３１と反対側の端部が屈曲した屈曲部３４が形成されている。屈曲
部３４は互いに向き合うように屈曲しており、屈曲部３４の間にスライド部材４が配置さ
れる。スライド部材４は突出部３３が接触し、接触部が傾いている傾斜部４１と、カバー
部材１の傾斜部４１が形成されているのと反対側の先端部は係合凹部１１と係合するため
の係合部４２が形成されている。スライド部材４は第２弾性部材６によって、係合部４２
と反対側の端部が付勢されている。第２弾性部材６にて付勢されることで、スライド部材
４の係合部４２は係合凹部１１と係合している。
【００２７】
図５（Ａ）〜（Ｄ）に本発明にかかるカバー開閉機構の動作手順の側断面図を、図６（
Ａ）〜（Ｄ）に図５に対応する動作手順の垂直断面図を示す。図５（Ａ）、図６（Ａ）に
示すようにＣＤプレーヤＡはカバー部材１が閉じた状態である。このとき、ボタン３は第
１弾性部材５にて弾性支持されており、ボタン３の本体部３１の上面が筐体Ｂｄの上面と
略同一平面上に配置されている。また、スライド部材４は第２弾性部材６にて弾性支持さ
れており、カバー部材１方向に押されて、スライド部材４の係合部４２がカバー部材１の
係合凹部１１が係合している。これによって、カバー部材１が開かないように保持してい
る。
【００２８】
また、このとき、ボタン３の脚部３２の屈曲部３４とスライド部材４の側面との間隙が
狭くなる（部分的に接触する）ように配置されるので、スライド部材４の摺動方向の動き
が制限される。これにより、ＣＤプレーヤＡに振動や衝撃が付与された場合にスライド部
材４に第２弾性部材６からの付勢力よりも大きな力を受けて、係合部４２が係合凹部１１
より外れて、カバー部材１が開放されるのを防ぐことができる。
【００２９】
図５（Ｂ）、図６（Ｂ）に示すようにボタン３を押して脚部３２方向に摺動させる。ボ
タン３を押すことで、脚部３２の屈曲部３４がスライド部材４よりも下方に移動する。こ
れにより、屈曲部３４によって動きを制限されていたスライド部材４が摺動しやすくなる
。また、ボタン３が摺動することで、突出部３３がボタン３の押え方向に移動する。この
とき、突出部３３の先端はスライド部材４の傾斜部４１を押す。
【００３０】
スライド部材４をカバー部材１の反対側に摺動し先端の係合部４２がカバー部材１の係
合凹部１１との係合が外れ、カバー部材１が開く。カバー部材１が開いた状態でＣＤメデ
ィアＭｄの挿入／取出しを行う。このとき、スライド部材４は動きを制限されていないの
で、第２弾性部材６よりの付勢のみで軽く摺動することができる。すなわち、必要最小限
の力でボタン３を押すことで、カバー部材１を開くことができる。
【００３１】
ボタン３に付加している力を取り除くと、ボタン３は第１弾性部材５より付勢されて上
方に押し上げられ、本体部３１の上面と筐体Ｂｄの上面とが同一又は略同一平面上に配置
されるように支持される。また、スライド部材４も第２弾性部材６より付勢されてカバー
部材１側に押されて静止する。
【００３２】
図５（Ｃ）、図６（Ｃ）に示すようにＣＤメディアＭｄの挿入／取出しを行ったのち、
カバー部材１を閉じる。このとき、カバー部材１の係合凹部１１の下部には斜めに形成さ
れたテーパー部１２が形成されている。カバー部材１を閉じる方向に回動し、テーパー部
１２をスライド部材４の係合部４２と接触させ、さらに閉じる方向に押える。テーパー部
１２が係合部４２と接触した状態でさらにカバー部材１を押えることで、スライド部材４
は第２弾性部材６からの付勢力に反して摺動する。
【００３３】
図５（Ｄ）、６（Ｄ）に示すように、スライド部材４の係合部４２がカバー部材１の係
合凹部１１に係合できる位置になるまでカバー部材１が押されると、第２弾性部材６から
の付勢力により、スライド部材４の係合部４２が係合凹部１１に嵌合するように摺動する
。これにより、係合部４２と係合凹部１１とが係合しカバー部材１が開くのを防ぐことが
できる。カバー部材１を閉じるときにスライド部材４は第２弾性部材６の付勢力に反して
摺動するが、ボタン３は第１弾性部材５にて移動しないように、換言すれば、本体部３１
の上面が筐体Ｂｄの外面と同一又は略同一面上に配置されるように支持されている。また
、図６（Ａ）に示すように閉じた状態ではボタン３の屈曲部３４によってスライド部材４
の動きが制限されるので、係合部４２と係合凹部１１との係合が外れるのを防ぐことがで
きる。
【００３４】
ボタン３の屈曲部３４とスライド部材４の側面の対向する場所にそれぞれ、摺動摩擦を
発生する摩擦部材を取り付けてもよい。摩擦部材を取り付けることで、ボタン３が静止状
態のとき、屈曲部３４によるスライド部材４の動きを制限する効果が高い。それだけ、大
きな振動や衝撃が付与しても、カバー部材１が開くのを防ぐことができる。また、上記の
実施例では脚部３２と屈曲部３４が一体に形成されているものを例示しているが、屈曲部
が別部材で形成され、脚部に取り付ける構造のものであってもよい。この場合、屈曲部を
容易に取り替えることができる。
【００３５】
上記実施例では光ディスク装置の例として、ＣＤプレーヤを挙げて説明しているが、そ
れに限定されるものではなく、回動することで開閉するカバー部材を備えた光ディスク装
置及びカバー開閉機構を広く採用することができる。
【産業上の利用可能性】
【００３６】
本発明のディスクカバー開閉機構は、ＤＶＤ、ＣＤ、ＬＤ等の光ディスク回動すること
でディスクカバーを開閉することができる光ディスク装置において適用することができる
。
【図面の簡単な説明】
【００３７】
【図１】本発明にかかる光ディスク装置である携帯型ＣＤプレーヤの平面図である。
【図２】本発明にかかるディスクカバー開閉機構の一例の水平断面図である。
【図３】図２に示すディスクカバー開閉機構の垂直断面図である。
【図４】図２に示すディスクカバー開閉機構の側断面図である。
【図５】図（Ａ）〜（Ｄ）は本発明にかかるディスクカバー開閉機構の動作手順の側断面図である。
【図６】図（Ａ）〜（Ｄ）は本発明にかかるディスクカバー開閉機構の動作手順の垂直断面図である。
【図７】従来の光ディスク装置のディスクカバー開閉機構の水平断面図である。
【図８】図７に示すディスクカバー開閉機構の垂直断面図である。
【図９】図７に示すディスクカバー開閉機構の側断面図である。
【符号の説明】
【００３８】
１  カバー部材
１１  係合凹部
１２  テーパー部
２  ディスクカバー開閉機構
３  ボタン
３１  本体部
３２  脚部
３３  突出部
３４  屈曲部
４  スライド部材
４１  傾斜部
４２  係合部
５  第１弾性部材
６  第２弾性部材
Ｂｄ  筐体
Ｇｕ  衝動ガイド部
Ｍｄ  ＣＤメディア
Ｄｈ  ディスク保持部材
Ｄｈ１  回転軸
Ｄｈ２  固定部
【図１】
2006114133.tif 000003
【図２】
2006114133.tif 000004
【図３】
2006114133.tif 000005
【図４】
2006114133.tif 000006
【図５】
2006114133.tif 000007
【図６】
2006114133.tif 000008
【図７】
2006114133.tif 000009
【図８】
2006114133.tif 000010
【図９】
2006114133.tif 000011